(57)【要約】【課題】簡易な作業で着脱することができ、内視鏡の施術者に対して処置領域を俯瞰する視野を付与することができる内視鏡補助具を提供すること。【解決手段】内視鏡の先端部に着脱自在に装着されるキャップと、装着された前記内視鏡の管に沿ってスライド可能なスライダと、前記キャップと前記スライダとの間に設けられて、前記スライダが前記キャップに近づくと先端が前記内視鏡の管から遠ざかる第１位置を取り、前記スライダが前記キャップから遠ざかると前記先端が前記内視鏡の管に近づく第２位置を取る複数のアームと、前記先端が前記第１位置を取るときに前記内視鏡による処置領域を撮影するように、前記複数のアームの前記先端に取り付けられる複数の撮像部と、前記処置領域に向かって光を照射する光源と、を備えることを特徴とする内視鏡補助具。【選択図】図４
2019051064.tif 000002
【特許請求の範囲】
【請求項１】
内視鏡の先端部に着脱自在に装着されるキャップと、
装着された前記内視鏡の管壁に沿ってスライド可能なスライダと、
前記キャップと前記スライダとの間に設けられて、前記スライダが前記キャップに近づくと先端が前記内視鏡の管から遠ざかる第１位置を取り、前記スライダが前記キャップから遠ざかると前記先端が前記内視鏡の管に近づく第２位置を取る複数のアームと、
前記先端が前記第１位置を取るときに前記内視鏡による処置領域を撮影するように、前記複数のアームの前記先端に取り付けられる複数の撮像部と、
前記処置領域に向かって光を照射する光源と、
を備えることを特徴とする内視鏡補助具。
【請求項２】
前記内視鏡補助具を患者の腹壁上の所望位置に係脱自在に固定する固定部
を更に備えることを特徴とする請求項１に記載の内視鏡補助具。
【請求項３】
前記固定部は、前記キャップに取り付けられた磁性体と、前記永久磁石を前記腹壁の外側から吸引する永久磁石又は電磁石と、を含むこと、
を特徴とする請求項２に記載の内視鏡補助具。
【請求項４】
前記複数のアームが前記第１位置と前記第２位置との間を移動するように前記複数のアームを操作する操作部
を更に備えることを特徴とする請求項１〜３のいずれかに記載の内視鏡補助具。
【請求項５】
前記操作部は、
前記スライダを前記キャップに近づけるように駆動される第１ワイヤと、
前記スライダを前記キャップから遠ざけるように駆動される第２ワイヤと、
を含むことを特徴とする請求項４に記載の内視鏡補助具。
【請求項６】
前記アームを前記第１位置に維持する保持機構
を更に備えることを特徴とする請求項１〜５のいずれかに記載の内視鏡補助具。
【請求項７】
前記キャップに前記内視鏡の先端部が挿入されると、前記アームが前記第１位置を取る状態を解除する解除機構
を更に備えることを特徴とする請求項６に記載の内視鏡補助具。
【発明の詳細な説明】
【技術分野】
【０００１】
本発明は、内視鏡補助具に関し、特に、内視鏡の施術者に俯瞰的な視野を提供する内視鏡補助具に関する。
【背景技術】
【０００２】
内視鏡による処置に際して体腔内の視野を広げるために、体腔内おいて撮像を行うカメラと、カメラに接続されるとともに腹壁の異なる面によって腹壁を挟持してカメラを体腔内に固定するカメラ側磁石及び固定用磁石と、カメラの制御を行うコントロールユニットと、を備える内視鏡システムが知られている（例えば特許文献１）。
【先行技術文献】
【特許文献】
【０００３】
【特許文献１】特開２００８−３０７２２６号公報
【発明の概要】
【発明が解決しようとする課題】
【０００４】
しかし、上記の内視鏡システムは、例えば着脱鉗子のような着脱用の器具を別途必要とする。また、１台の内視鏡システムに１個の撮像素子の搭載が予定されていることから、十分に広い範囲にわたる視野を得るためには、複数台の内視鏡システムを個別に体腔内に配置する必要がある。
【０００５】
そこで、本発明は、簡易な作業で着脱することができ、内視鏡の施術者に対して処置領域を俯瞰する視野を付与することができる内視鏡補助具の提供を目的とする。
【課題を解決するための手段】
【０００６】
上述した課題を解決すべく、本発明は、内視鏡の先端部に着脱自在に装着されるキャップと、装着された前記内視鏡の管壁に沿ってスライド可能なスライダと、前記キャップと前記スライダとの間に設けられて、前記スライダが前記キャップに近づくと先端が前記内視鏡の管から遠ざかる第１位置を取り、前記スライダが前記キャップから遠ざかると前記先端が前記内視鏡の管に近づく第２位置を取る複数のアームと、前記先端が前記第１位置を取るときに前記内視鏡による処置領域を撮影するように、前記複数のアームの前記先端に取り付けられる複数の撮像部と、前記処置領域に向かって光を照射する光源と、を備えることを特徴とする内視鏡補助具を提供する。
【０００７】
上記の本発明においては、内視鏡補助具が、前記内視鏡補助具を患者の腹壁上の所望位置に係脱自在に固定する固定部を更に有すること、が好ましい。
【０００８】
また、上記の本発明の内視鏡補助具においては、前記固定部が、前記キャップに取り付けられた磁性体と、前記永久磁石を前記腹壁の外側から吸引する永久磁石又は電磁石と、を含むこと、が好ましい。
【０００９】
また、上記の本発明においては、内視鏡補助具が、前記複数のアームが前記第１位置と前記第２位置との間を移動するように前記複数のアームを操作する操作部を更に有すること、が好ましい。
【００１０】
上記の本発明の内視鏡補助具においては、前記操作部が、前記スライダを前記キャップに近づけるように駆動される第１ワイヤと、前記スライダを前記キャップから遠ざけるように駆動される第２ワイヤと、を含むこと、が好ましい。
【００１１】
上記の本発明においては、内視鏡補助具が、前記アームを前記第１位置に維持する保持機構を更に有すること、が好ましい。
【００１２】
上記の本発明においては、内視鏡補助具が、前記キャップに前記内視鏡の先端部が挿入されると、前記アームが前記第１位置を取る状態を解除する解除機構を更に備えること、が好ましい。
【発明の効果】
【００１３】
本発明によれば、簡易な作業で着脱することができ、内視鏡の施術者に対して処置領域を俯瞰する視野を付与することができる内視鏡補助具を提供することができる。
【図面の簡単な説明】
【００１４】
【図１】内視鏡補助具の使用例を示す概略図である。
【図２】図１の内視鏡補助具が体腔内に導入される様子を示す概略図である。
【図３】本発明の代表的な実施形態に係る内視鏡補助具が内視鏡の先端部に装着された状態を示す斜視図である。
【図４】図３の内視鏡補助具の断面斜視図である。
【図５】閉じた状態の内視鏡補助具を示す上面図及び側面図である。
【図６】半ば開いた状態の内視鏡補助具を示す上面図及び側面図である。
【図７】開いた状態の内視鏡補助具を示す上面図及び側面図である。
【図８】図６のＡ−Ａ線部分断面図である。
【図９】変形例１に係る内視鏡補助具を示す側面図である。
【図１０】変形例２に係る内視鏡補助具を示す側面図である。
【発明を実施するための形態】
【００１５】
以下、本発明の代表的な実施形態に係る内視鏡補助具について、図面を参照しつつ詳細に説明する。ここでは、内視鏡補助具がＮＯＴＥＳ（Natural Orifice Translumenal Endoscopic Surgery）と呼ばれる内視鏡手術に適用される場面を想定して本発明を説明するが、本発明は他のタイプの内視鏡ないし内視鏡手術にも適用可能である。
なお、図面は、本発明を概念的に説明するためのものであるから、理解容易のために、必要に応じて寸法、比又は数を誇張又は簡略化して表している場合もある。
【００１６】
［内視鏡補助具の適用場面］
図１及び図２を参照して、内視鏡補助具１が適用される典型的な場面を説明する。ただし、内視鏡補助具の適用場面は、以下の場面に限られるものではない。ここに、ＮＯＴＥＳとは、人体に存在する自然開口部（例えば口や肛門）から軟性内視鏡を体内へ挿入し、管腔壁を切開後、体腔内へ侵入して幹部の治療を行う方法である。低侵襲がＮＯＴＥＳの大きな魅力の１つであるが、一方で、施術者は体腔内の限られた空間内で、内視鏡のカメラから得られる狭い視野の下で処置を行う必要があり、施術者の負担が大きい。
【００１７】
内視鏡補助具１は、軟性内視鏡の先端部に装着された状態で内視鏡とともに体内に挿入され、施術者に処置領域の俯瞰的な視野を提供するものである。具体的には、内視鏡補助具１は、図２に示すように、軟性内視鏡１０１の先端部に装着された状態で、例えば胃１０４に形成された開口１０５から患者の体腔１０２内に侵入する。この状態では、内視鏡補助具１のアーム４は閉じている。
【００１８】
そして、図１に示すように、内視鏡１０１による処置を施す範囲（処置領域）を十分に撮影できる腹壁１０３上の位置に、内視鏡補助具１を固定部７で固定し、アーム４を開くアーム４の先端に搭載されている光源６で処置領域を照射しながら、他のアーム４の先端に設けられた撮像部５で撮影を行う。あるいは、施術者は、アーム４を開いて処置領域を撮影し、映像を確認しながら内視鏡補助具１の固定位置を決定してもよい。
これにより、施術者は、内視鏡１０１の内蔵カメラからの映像に加えて、内視鏡補助具１からの映像を見ながら、内視鏡１０１による処置を行うことができる。つまり、施術者は、広範囲の視野を得ることができる。
【００１９】
内視鏡補助具１を患者の体内から回収する際には、内視鏡１０１の先端に、アーム４を閉じた状態の内視鏡補助具１を装着し、この状態で内視鏡１０１を患者の体内から取り出せばよい。なお、撮像範囲の変更を行う場合には、例えば、内視鏡１０１の先端に内視鏡補助具１を装着し、固定具７による固定を解除したうえで、別の位置に内視鏡補助具１を移動させればよい。
【００２０】
［内視鏡補助具の構成］
図３〜図８を参照して、内視鏡補助具１を具体的に説明する。なお、図３〜図８では、説明の便宜上、固定部７の図示は省略されている。また、図３及び図４では、複数の撮像部５及び複数の光源６のうち、全部又は一部の撮像部及び光源の図示が省略されている。更に、図４〜図８では、操作部８の図示は省略されている。
【００２１】
まず内視鏡補助具１の全般的な設計思想について述べると、内視鏡補助具１は、軟性内視鏡の先端部に取り付けられた状態で体腔内に運ばれるのに好適に設計されている。内視鏡補助具１は、ＮＯＴＥＳによる内視鏡手術に特に好適に使用できるように、２０ｍｍ以下の最大全長及び最大径を持つことが好ましい。更に、内視鏡補助具１は、患者の体内へ挿入されるものであるため、滅菌可能な材料で作製されることが好ましい。また、内視鏡補助具１は、体内を傷つけない形状・機構であることが好ましい。
【００２２】
具体的には、内視鏡補助具１は、キャップ２と、スライダ３と、アーム４と、撮像部５と、光源６と、固定部７と、操作部８と、を含んで構成されている。ここに、アーム４、撮像部５、及び光源６については、同様の部材が複数設けられることがある。
したがって、個々のアームを説明する場合にはアーム４１〜４４と記載し、アームを総称するときにはアーム４と記載するものとする。同様に、撮像部５１，５２は個別の撮像部について使用し、撮像部５はこれらを総称するものとして使用する。また、光源６１，６２は個別の光源を指し、光源６はこれらを総称するものである。
【００２３】
キャップ２は、内視鏡１０１の先端部に着脱自在に装着される樹脂部材である。キャップ２は、例えばアクリル系硬化樹脂で作製されてもよく、より好ましくは、生体適合性を有し滅菌可能な材料で作製されるのがよい。本実施形態では、キャップ２は、中央が開口する円盤状の部材であり、図３及び図４に示すように、外縁から内視鏡１０１の管壁に沿って延びる側壁２１，２２及び爪部２３、２４を有する。
【００２４】
側壁２１，２２は、互いに向かい合うように離れた位置に配置され、それぞれに、操作部８（ワイヤ８１，８２）を挿通するための孔２１Ａ，２２Ａが形成されている。これら孔２１Ａ，２２Ａについては、追ってスライダ３の孔３１，３２との関係で述べる。
【００２５】
爪部２３，２４もまた、互いに向かい合うように離れた位置に設けられ、先端において内側に突出している（図８参照）。爪部２３，２４は、スライダ３の受け部３３，３４とともに、スナップフィット機構を構成するが、この点については後述する。
【００２６】
次いで、スライダ３は、装着された内視鏡１０１の管壁に沿ってスライド可能な樹脂部材である。スライダ３は、キャップ２と同様にアクリル系硬化樹脂で作製されてもよく、より好ましくは、生体適合性を有し滅菌可能な材料で作製されるのがよい。本実施形態では、スライダ３は、図４に示すように、中央が開口する円盤状の部材であり、キャップ２の外径とほぼ同じか、やや小さい外径を有する。また、スライダ３の内径は、内視鏡１０１の挿通を可能とするように、内視鏡１０１の外径とほぼ同じか、やや大きい。
【００２７】
スライダ３は、例えば図８に示すように、外縁からキャップ２側に延びる受け部３３，３４を有する。例えば図６（ｂ）のようにスライダ３がキャップ２に接近すると、スライダ３の受け部３３，３４とキャップ２の爪部２３，２４とが部分的に接触し、弾性変形する。その際に生じた受け部３３，３４及び爪部２３，２４の弾性力に抗して、スライダ３が更にキャップ２の内側に押し込まれると、図７（ｂ）受け部３３，３４及び爪部２３，２４は互いに嵌り合う。この状態では、受け部３３，３４及び爪部２３，２４は互いの移動を規制することになり、スライダ３はキャップ２に押し込まれた状態（これはアーム４が開いた状態に相当する）を保持することになる。
【００２８】
したがって、スライダ３の受け部３３，３４及びキャップ２の爪部２３，２４は、アーム４の保持機構を構成することになる。かかる保持機構により、操作部８（ワイヤ８１）の牽引を継続することなく、アーム４が開いた状態を維持することができ、内視鏡補助具１の操作性が向上する。
【００２９】
アーム４の説明に移ると、複数のアーム４（４１〜４４）は、図５〜図７に示すように、キャップ２とスライダ３との間に設けられる樹脂部材であり、開いた状態（第１位置）と閉じた状態（第２位置）との間を回動することができる。ここに、開いた状態とは、スライダ３がキャップ２に近づく場合におけるアーム４の状態であり、このときアーム４の先端は内視鏡１０１の管壁から遠ざかることになる。また、閉じた状態とは、スライダ３がキャップ２から遠ざかる場合におけるアーム４の状態であり、このときアーム４の先端は内視鏡１０１の管壁に近づくことになる。
【００３０】
アーム４は、例えばアクリル系硬化樹脂で作製されてもよく、より好ましくは、生体適合性を有し滅菌可能な材料で作製されるのがよい。
アーム４の長さは、例えば、内視鏡補助具１の許容寸法や必要な視野範囲を考慮して決定されるとよい。
【００３１】
本実施形態では、例えば図３に示すように、４本のアーム４１〜４４が設けられ、アーム４１，４２とアーム４３，４４は、それぞれ互いに向き合うように離れた位置に配置されている。アーム４１，４２は撮像部５１，５２用であり、アーム４３，４４は光源６１，６２用である。ただし、アーム４は撮像部５のために少なくとも２本あればよい。
【００３２】
アーム４１〜４４は、例えば図４に示すように、一端（下端）において、スライダ３に軸４１Ａ〜４４Ａを介して回動自在に取り付けられている。また、アーム４１〜４４の他端（先端）には、撮像部５（５１，５２）又は光源６（６１，６２）が取り付けられている。
【００３３】
そして、アーム４１〜４４とキャップ２とは、図８に示すように、連結片９１〜９４を介してキャップ２に連結され、リンク機構を形成している。具体的には、例えば連結片９３を例に挙げると、この連結片の一端は、軸４３Ｂを介して、アーム４３の長手方向の中間位置に取り付けられ、連結片９３の他端は、軸４３Ｃを介して、キャップ２に取り付けられている。したがって、スライダ３の上下運動に連動して、連結片９３が軸４３Ｃを中心に回動し、これによりアーム４３が開閉動作することとなる。なお、連結片９１〜９４としては、例えばステンレス鋼材のように、一定の強度を有し、かつ、生体に影響を及ぼさない金属材料が用いられる。
【００３４】
次いで操作部８に言及する。操作部８は、複数のアーム４が開いた状態（第１位置）と閉じた状態（第２位置）との間を移動するように複数のアーム４を操作する部材である。ここでは、操作部８は、金属製のワイヤであり、図３に示すように、スライダ３をキャップ２に近づけるように駆動されるワイヤ８１（第１ワイヤ）と、スライダ３をキャップ２から遠ざけるように駆動されるワイヤ８２（第２ワイヤ）と、を含む。ワイヤ８１，８２は１本のワイヤでもよいし、複数のワイヤを繋ぎ合わせたものでもよい。
【００３５】
操作部８によるアーム４の開閉操作を可能にするために、本実施形態では、操作部８をキャップ２の孔２１Ａ及びスライダ３の孔３１に挿通するとともに、操作部８を例えば棒などでスライダ３に固着させる。これによりスライダ３が操作部８と連動することになる。具体的には、ワイヤ８１を図３のＸ方向に引くことで、スライダ３がキャップ２に近付き、ワイヤ８２を図３のＹ方向に引くことで、スライダ３がキャップ２から遠ざかる。これにより、操作部８によるアーム４の開閉操作が可能となる。ただし、操作部８としては、ワイヤ以外の手法が使用されてもよい。
【００３６】
操作部８は、操作性を向上させるとともに生体を傷付けないように、例えばステンレス製のシース（図示せず）に挿通されることが好ましい。
また、図４に示すキャップ２の孔２２Ａ及びスライダ３の孔３２にも操作部８を挿通し、複数の操作部８でアーム４の開閉操作を行ってもよい。複数の操作部８による開閉操作は、作業の安定性を向上させる。
【００３７】
次に撮像部５を説明する。撮像部５は、アーム４の先端に取り付けられ、内視鏡１０１による処置領域を撮影する。本実施形態では、例えば図５に示すように、２個の撮像部５１，５２が設けられているが、３個以上の撮像部５が備えられてもよい。また、撮像部５により撮影可能な画像は、動画像でも静止画像でもよく、撮影された画像は、有線又は無線により外部ディスプレイや記憶装置に出力される。
【００３８】
ここで、複数の撮像部５は、施術者の視野の範囲を広げるという観点から、互いに離れた位置に配置されることが好ましい。そのため、撮像部５１，５２は、互いに反対側に位置するアーム４１，４２の先端に取り付けられている。
【００３９】
撮像部５は、例えばＣＣＤやＣＭＯＳセンサのような撮像素子であり、小型で、焦点距離が短く広角であることが好ましい。撮像部５として、例えばセンササイズ１／１８インチ、幅３．０ｍｍ×高さ３．０ｍｍ×奥行４．０ｍｍ、焦点距離０．９６ｍｍ、画角５５度、フレームレート３０ｆｐｓを有する撮像素子を採用することで、内視鏡補助具１全体の寸法を抑制しつつ、内視鏡１０１の処置領域の様子を十分に観察することが可能と考えられる。
【００４０】
光源６の説明に移ると、光源６は、内視鏡１０１の処置領域に向かって光を照射する。光源６は、例えばＬＥＤ（発光ダイオード）であり、本実施形態では、図６に示すように、２個の光源６１，６２が採用されている。ただし光源６は、施術者が内視鏡１０１の処置領域を十分に観察できる限り、少なくとも１個で足りる。
【００４１】
光源６１，６２は、それぞれアーム４３，４４の先端に取り付けられている。内視鏡補助具１全体の寸法を抑制する観点からは、光源６１，６２は小さいことが好ましく、例えば幅３．０ｍｍ×高さ２．０ｍｍ×奥行１．５ｍｍほどである。また、明瞭な視野を確保する観点からは、光源６１，６２のそれぞれにつき例えば２２００ｍｃｄ〜２７００ｍｃｄほどの光度を確保できればよいと考えられる。
【００４２】
固定部７は、図１に示すように、内視鏡補助具１を患者の腹壁１０３上の所望位置に係脱自在に固定する部材である。固定部７は、キャップ２に取り付けられた金属（磁性体）７２と、磁石７２を腹壁１０３の外側から吸引する磁石７１（永久磁石又は電磁石）と、を含んでいてよい。ただし、固定部７としては、金属（磁性体）７１、磁石７２に限るものではなく、磁石と金属（磁性体）と電磁石との間の任意の組合せでよい。
【００４３】
［本実施形態の効果］
以上のとおり、内視鏡補助具１は、運搬時（アームを閉じた時）には、最大全長および直径を２０ｍｍとすることができるほど小型化することができる。つまり、運搬時には、視野確保時（アームを開いた時）に比べて全長を半分以下に削減することができる。
したがって、内視鏡補助具１は、例えばＮＯＴＥＳのような術式に利用される場合には、内視鏡１０１の先端に取り付けて患者の口腔から挿入し、咽頭部や食道を通過することを容易に行うことができるため、体壁の切開をせずに利用可能である。更には、内視鏡補助具１の利用により、作業空間の限られた腹腔内で、内視鏡が移動可能な範囲を確保することができる。
【００４４】
また、内視鏡補助具１は、滅菌可能な材料で作製された場合には、体内へ挿入する際の安全性を確保することができる。
【００４５】
特にＮＯＴＥＳでは、内視鏡の作業空間が限定されるため、施術者には繊細で複雑な操作が要求されるところ、内視鏡補助具１の簡便な操作により視野の拡大が可能であるため、医師の負担軽減および手術時間の短縮を期待することができる。
【００４６】
内視鏡補助具１は、内視鏡に取り付けられた状態で作業空間（体腔）に到達し、所望の腹壁上の位置への設置が可能である。また、術後には、内視鏡の先端への装着だけで足り、速やかな回収が可能である。
【００４７】
内視鏡補助具１は、例えばＮＯＴＥＳに利用される場合には、体内への挿入時及び体外への回収時、内視鏡の先端に取り付けられた状態で、例えば口と体腔内との間を移動する。内視鏡補助具１はその際、内視鏡の動作や操作へ影響を与えないから、高い利便性を有する。
【００４８】
内視鏡補助具１は、全体として丸みを帯び角張った部分がないため、内視鏡に取り付けた状態で体内へ挿入されても、患者の体内を傷つけない。
【００４９】
［変形例１］
図９を参照して、本実施形態の変形例１を説明する。
変形例１は、連結片の形状を除き、本実施形態に係る内視鏡補助具１と同様である。したがって、連結片について詳しく説明し、他の構成要素の説明は省略する。
【００５０】
連結片９５は、図９に示すように、略Ｌ字形状の金属部材である。連結片９５は、一端において、軸４３Ｂを介してアーム４１に連結されるとともに、屈曲部において、軸４３Ｃを介してキャップ２と連結されている。したがって、連結片９５は、上述した実施形態における連結片９１〜９４と同様に、リンク機構としての機能を果たす。
【００５１】
加えて、連結片９５は、図９（ａ）に示すように、アーム４（４１）が開いた状態において、連結片９５の他端９５Ａが内視鏡補助具１の内側に向かって延びるように形成されている。したがって、アーム４が開いた状態の内視鏡補助具１に内視鏡１０１が挿入されると、内視鏡１０１の先端部が連結片９５の他端９５Ａに接触する。内視鏡１０１の先端部が更に奥に押し込まれると、連結片９５の他端９５Ａもキャップ２側に回動することになる。
【００５２】
かかる動作により、連結片９５の一端（アーム４側の端部）は、内視鏡１０１に近付く方向に回動する。その結果、アーム４１の先端がキャップ２に近付くように移動すると同時に、スライダ４が下方に押し下げられる。これにより、図９（ｂ）に示すように、アーム４１が開いた状態が解除され、アーム４１が閉じる方向に向かう。すなわち、連結片９５は、解除機構に相当する。
【００５３】
このように、変形例１では、アーム４が開いた状態の内視鏡補助具１に内視鏡１０１が挿入されると、アーム４が自動的に閉じる方向に向かう。これにより、内視鏡補助具１の操作が簡便になり、利便性の向上が期待される。
【００５４】
かかる効果は、複数のアーム４のいずれかに連結片９５が導入されれば期待できるが、すべてのアーム４に連結片９５が導入されることで、よりスムーズなアーム４の閉じ動作を得ることができる。
【００５５】
［変形例２］
図１０を参照して、本実施形態の変形例２を説明する。
変形例２は、アームに追加されたトーションバネを除き、本実施形態に係る内視鏡補助具１と同様である。したがって、トーションバネについて詳しく説明し、他の構成要素の説明は省略する。
【００５６】
トーションバネ９７は、アーム４２が閉じる方向に付勢するものであり、図１０（ａ）に示すように、軸４２Ａ〜４２Ｃを介してアーム４２に取り付けられている。したがって、アーム４２が閉じた状態では、アーム４が意図せず開くことを抑制することができる。また、図１０（ｂ）のようにアーム４２が中途半端に開いた状態では、トーションバネ９７の復元力によりアーム４２は閉じた状態に戻ろうとする。
【００５７】
したがって、変形例２では、アーム４が意図せず開くことを抑制することができるとともに、開いた状態のアーム４を閉じる際には、保持機構の解除後にアーム４の閉じ動作がサポートされる。これにより、内視鏡補助具１の操作性が向上する。
【００５８】
かかる効果は、複数のアーム４のいずれかにトーションバネ９７が導入されれば期待できるが、すべてのアーム４にトーションバネ９７が導入されることで、操作性の更なる向上が期待できる。
なお、変形例１，２の組合せを行うことも可能である。
【００５９】
以上、本発明の代表的な実施形態について図面を参照しながら説明したが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【符号の説明】
【００６０】
１・・・内視鏡補助具、
２・・・キャップ、
３・・・スライダ、
４，４１〜４４・・・アーム、
５，５１，５２・・・撮像部、
６，６１，６２・・・光源、
７・・・固定部、
８・・・操作部。
【図１】
2019051064.tif 000003
【図２】
2019051064.tif 000004
【図３】
2019051064.tif 000005
【図４】
2019051064.tif 000006
【図５】
2019051064.tif 000007
【図６】
2019051064.tif 000008
【図７】
2019051064.tif 000009
【図８】
2019051064.tif 000010
【図９】
2019051064.tif 000011
【図１０】
2019051064.tif 000012